【手続補正書】
【提出日】平成31年2月8日(2019.2.8)
【手続補正１】
【補正対象書類名】特許請求の範囲
【補正対象項目名】全文
【補正方法】変更
【補正の内容】
【特許請求の範囲】
【請求項１】
ハロゲン化ヒートボディオイル、ハロゲン化吹込油、ハロゲン化水素化ヒートボディオイル、ハロゲン化水素化吹込油、およびそれらの任意の組み合わせからなる群から選択される少なくとも１種のハロゲン化ポリマー油を含み、前記ポリマー油が、少なくとも１種の再生可能資源由来油または脂肪を含む、重合マクロ開始剤。
【請求項２】
前記ポリマー油が、藻類油、動物油、牛脂、ボルネオ獣脂、バター脂、カメリナ油、銀鱈油、キャノーラ油、ひまし油、カカオ脂、カカオ脂代替物、やし油、タラ肝油、ナタネ油、コリアンダー油、とうもろこし油、綿実油、アマナズナ油、フラックスシードオイル、廃水処理施設からの浮遊グリース、ヘーゼルナッツ油、麻実油、にしん油、イリッペ脂、ジャトロファ油、コクムバター、ラノリン、ラード、亜麻仁油、マンゴ核油、魚油、メドウホーム油、メンハーデン油、微生物油、乳脂肪、モーラ脂肪、カラシ油、羊脂、牛脚油、オイチシカ油、オリーブ油、オレンジラフィー油、パーム油、パーム核油、パーム核オレイン、パーム核ステアリン、パームオレイン、パームステアリン、ピーナッツ油、フルワラバター、パイルハードオイル、植物油、豚肉ラード、ラディッシュ油、ニガー油、菜種油、米ぬか油、サフラワー油、サル油、アッケシソウ油、イワシ油、サザンカ油、ゴマ油、シア脂肪、シアバター、単細胞油、大豆油、ひまわり種子油、トール油、獣脂、タイガーナッツ油、つばき油、きり油、トリアシルグリセロール、トリオレイン、使用済み食用油、植物油、クルミ油、鯨油、ホワイトグリース、イエローグリース、および誘導体、共役誘導体、遺伝子組換え誘導体、ならびにそれらの任意の組み合わせからなる群から選択される再生可能資源由来の脂肪または油から製造される、請求項１に記載の重合マクロ開始剤。
【請求項３】
前記ポリマー油が、共役リノール酸、ルーメン酸（９−ｃｉｓ、１１−ｔｒａｎｓ−オクタデカジエン酸）、１０−ｔｒａｎｓ、１２−ｔｒａｎｓ−オクタデカジエン酸、１０−ｔｒａｎｓ、１２−ｃｉｓ−オクタデカジエン酸、共役リノレン酸、α−エレオステアリン酸（９−ｃｉｓ、１１−ｔｒａｎｓ、１３−ｔｒａｎｓオクタデカトリエン酸）、β−エレオステアリン酸（９−ｔｒａｎｓ、１１−ｔｒａｎｓ、１３−ｔｒａｎｓオクタデカトリエン酸）、ルメレン酸（９−ｃｉｓ、１１−ｔｒａｎｓ、１５−ｃｉｓ−オクタデカトリエン酸）、プニカ酸（９−ｃｉｓ、１１−ｔｒａｎｓ、１３−ｃｉｓ−オクタデカトリエン酸）、カタルプ酸（９−ｔｒａｎｓ、１１−ｔｒａｎｓ、１３−ｃｉｓ−オクタデカトリエン酸）、α−カレンジン酸（８−ｔｒａｎｓ、１０−ｔｒａｎｓ、１２−ｃｉｓオクタデカトリエン酸）、β−カレンジン酸（８−ｔｒａｎｓ、１０−ｔｒａｎｓ、１２−ｔｒａｎｓオクタデカトリエン酸）、ジャカル酸（８−ｃｉｓ、１０−ｔｒａｎｓ、１２−ｃｉｓオクタデカトリエン酸）、テトラエン酸、α−パリナリン酸（９−ｔｒａｎｓ、１１−ｃｉｓ、１３−ｃｉｓ、１５−ｔｒａｎｓ−オクタデカテトラエン酸）、β−パリナリン酸（９−ｔｒａｎｓ、１１−ｔｒａｎｓ、１３−ｔｒａｎｓ、１５−ｔｒａｎｓ−オクタデカテトラエン酸）、リソビウム細菌からの２−ｔｒａｎｓ、４−ｔｒａｎｓ、６−ｔｒａｎｓ、１１−ｃｉｓオクタデカテトラエン酸、ペンタエン酸、ボセオペンタエン酸（５−ｃｉｓ、８−ｃｉｓ、１０−ｔｒａｎｓ、１２−ｔｒａｎｓ、１４−ｃｉｓ−ペンタエン酸）、ヘキサエン酸、海藻からの４−ｃｉｓ、７−ｃｉｓ、９−ｔｒａｎｓ、１３−ｃｉｓ、１６−ｃｉｓ、１９−ｃｉｓドコサヘキサエン酸、およびそれらの任意の組み合わせからなる群から選択される１種または複数の共役脂肪酸を含む、再生可能資源由来の脂肪または油から製造される、請求項１に記載の重合マクロ開始剤。
【請求項４】
請求項１〜３のいずれかに記載の重合マクロ開始剤から製造されるポリマー。
【請求項５】
前記ポリマーが、原子移動ラジカル重合により形成される、請求項４に記載のポリマー。
【請求項６】
前記ポリマーが、硬質でガラス質のポリマーを含む、請求項４に記載のポリマー。
【請求項７】
前記ポリマーが、熱硬化性ポリマーを含む、請求項４に記載のポリマー。
【請求項８】
前記ポリマーが、熱可塑性エラストマーを含む、請求項４に記載のポリマー。
【請求項９】
前記ポリマーが、スチレン、α−メチルスチレン、ｔ−ブチルスチレン、ビニル基、ビニルキシレン、ビニルナフタレン、ビニルピリジン、ジビニルベンゼン、アクリル酸メチル、Ｃ１−Ｃ６（メタ）アクリレート、メチルメタクリレート、エチルメタクリレート、プロピル（メタ）アクリレート、ブチル（メタ）アクリレート、ヘプチル（メタ）アクリレート、ヘキシル（メタ）アクリレート）、アクリロニトリル、アジポニトリル、メタクリロニトリル、ブタジエン、イソプレン、ビニル芳香族モノマー、ポリスチレンホモポリマー、ジオレフィン、ニトリル、ジニトリル、およびそれらの任意の組み合わせからなる群から選択されるモノマーから製造される少なくとも１つのＡブロックを含む、請求項４に記載のポリマー。
【請求項１０】
前記ポリマーに、加硫、架橋、相溶化、１種または複数の他の材料との配合、およびそれらの任意の組み合わせからなる群から選択される方法をさらに行う、請求項４に記載のポリマー。
【請求項１１】
請求項４に記載のポリマーを含む、アスファルト組成物。
【請求項１２】
請求項４に記載のポリマー及び酸化防止剤を含む、組成物。
【請求項１３】
請求項７に記載のポリマーを含む、床張り、ゴムマット、道路建設、道路補修工事、レクリエーションエリア、自動車用バンパー、自動車用フロアマット、自動車用裏張り、タイヤ、ホース、パワーベルト、コンベヤベルト、人工競技場表面、応力吸収膜中間層、開粒度摩擦層、舗装面シール、ギャップ粒度混合物、ストーンマトリックスアスファルト、クラムラバー改質型アスファルト、強化エンジニアリング熱可塑性樹脂、アスファルト改質剤、樹脂改質剤、エンジニアリング樹脂、革およびセメント改質剤、履き物中、ゴム靴ヒール中、ゴム靴底、印刷用ロール中、ゴム絞り手、トラック用泥よけ、ボールミル裏張り、隙間塞ぎ、接着剤、感圧接着剤、航空宇宙装置中、粘度指数向上剤として、洗剤、診断用薬、分散剤、乳化剤、潤滑剤、界面活性剤、紙添加剤、コーティング剤、紙コーティング剤、食品包装、飲料包装、又はそれらの任意の組み合わせ。
【請求項１４】
請求項８に記載のポリマーを含む、バインダー、アスファルトバインダー、タッキファイヤー、床張り、ゴムマット、道路建設、道路補修工事、レクリエーションエリア、自動車用バンパー、自動車用フロアマット、自動車用裏張り、タイヤ、ホース、パワーベルト、コンベヤベルト、人工競技場表面、応力吸収膜中間層、開粒度摩擦層、舗装面シール、ギャップ粒度混合物、ストーンマトリックスアスファルト、クラムラバー改質型アスファルト、強化エンジニアリング熱可塑性樹脂、アスファルト改質剤、樹脂改質剤、エンジニアリング樹脂、革およびセメント改質剤、履き物中、ゴム靴ヒール中、ゴム靴底、印刷用ロール中、ゴム絞り手、トラック用泥よけ、ボールミル裏張り、隙間塞ぎ、接着剤、感圧接着剤、航空宇宙装置中、粘度指数向上剤として、洗剤、診断用薬、分散剤、乳化剤、潤滑剤、界面活性剤、紙添加剤、紙コーティング剤、食品包装、飲料包装、又はそれらの任意の組み合わせ。
【請求項１５】
請求項１に記載の重合マクロ開始剤の製造方法であって、
(i)少なくとも１つの二重結合を有するポリマー油を用意すること、および
前記ポリマー油の少なくとも１つの二重結合をハロゲン化すること
又は
(ii)少なくとも１つの遊離ヒドロキシル基を有するポリマー油を用意すること、および
前記ポリマー油の少なくとも１つのヒドロキシル基をハロゲン化すること
又は
(iii)ポリマー油を用意すること、および
前記ポリマー油の少なくとも１つの脂肪酸部分の少なくとも１つのα炭素をハロゲン化すること
を含む、製造方法。
【請求項１６】
成形プラスチック、押出プラスチック、アクリロニトリルブタジエンスチレン、ハロゲン化ポリビニル製品、ナイロン、ポリエステル、ポリプロピレンアロイ、塩素化ポリエチレン、ポリカーボネート、ポリスチレン、アクリル、およびそれらの任意の組み合わせからなる群から選択されるポリマーに組み込まれた請求項６に記載のポリマーの使用。